(57)【要約】【課題】大雨時の昇降路内底部への冠水時の状況確認や、昇降路内底部への落下者の早期発見が出来るエレベータの表示装置を提供する。【解決手段】乗りかご１の上下部に、昇降路内を撮像するビデオカメラ２，３を取付け、ビデオカメラ２，３による映像を、乗りかご１内に表示するビデオモニタ４を設け、運転方向に応じ、昇降路の上下部の映像を自動切替え表示するとともに、待機階にて乗りかご１が停止中で戸開時に、かご下のビデオカメラ２による昇降路下端の映像を表示し、また、管制運転中にもかご下のビデオカメラ２による昇降路下端の映像を表示する。【選択図】図１
2008290842.tif 000002
【特許請求の範囲】
【請求項１】
昇降路の底部に設置された冠水検知器と、前記冠水検知器が作動したときエレベータを管制運転させる管制運転装置と、乗りかごの下部に搭載され昇降路内の下方向に向けたビデオカメラと、乗りかご内に配置されたビデオモニタとを備えたエレベータの表示装置において、乗りかごの運転中、乗りかごがある階に戸開停止中および／またはエレベータの管制運転中に、乗りかご下部の前記ビデオカメラによる昇降路内底部の映像を乗りかご内の前記ビデオモニタに表示する表示制御装置を備えたことを特徴とするエレベータの表示装置。
【請求項２】
昇降路の底部に設置された冠水検知器と、前記冠水検知器が作動したときエレベータを管制運転させる管制運転装置と、乗りかごの上部および下部に搭載され昇降路内の上および下方向に向けたビデオカメラと、乗りかご内に配置されたビデオモニタとを備えたエレベータの表示装置において、エレベータの平常運転中に、乗りかご上または下部の前記ビデオカメラによる昇降路内上方または底部の映像を運転方向に応じて乗りかご内の前記ビデオモニタに表示するとともに、乗りかごがある階に戸開停止中および／またはエレベータの管制運転中に、乗りかご下部の前記ビデオカメラによる昇降路内底部の映像を乗りかご内の前記ビデオモニタに表示する表示制御装置を備えたことを特徴とするエレベータの表示装置。
【請求項３】
請求項１または２において、前記表示制御装置は、前記乗りかごが待機階に戸閉停止中に前記待機階のホール呼びが操作され、前記乗りかごが戸開したとき、乗りかご下部の前記ビデオカメラによる昇降路内底部の映像を乗りかご内の前記ビデオモニタに表示する手段を含むことを特徴とするエレベータの表示装置。
【請求項４】
請求項１〜３のいずれかにおいて、前記乗りかごの外部に、前記ビデオカメラによる昇降路内上方または底部の映像を切替える操作手段付のビデオモニタを備えたことを特徴とするエレベータの表示装置。
【請求項５】
請求項１〜４のいずれかにおいて、昇降路内上方または底部の映像を乗りかご内の前記ビデオモニタに表示中に、前記昇降路内で集音した音響を併せて案内するように構成したことを特徴とするエレベータの表示装置。
【請求項６】
請求項１〜５のいずれかにおいて、エレベータ平常時の前記乗りかごが走行中には、ビデオカメラの照明ランプを点滅し、乗りかごが停止中には、前記照明ランプを消灯するとともに、乗りかごがある階に戸開停止中および／またはエレベータの管制運転中には、前記照明ランプを連続点灯する照明ランプ点灯制御装置を備えたことを特徴とするエレベータの表示装置。
【請求項７】
請求項１〜６のいずれかにおいて、前記ビデオカメラによる乗りかご内の前記ビデオモニタの昇降路内上方または底部の映像を、乗りかご内で切替える映像切替操作手段を備えたことを特徴とするエレベータの表示装置。
【請求項８】
昇降路の底部に設置された冠水検知器と、前記冠水検知器が作動したときエレベータを管制運転させる管制運転装置と、乗りかごの下部に搭載され昇降路内の下方向に向けたビデオカメラと、乗りかご内に配置されたビデオモニタとを備えたエレベータの表示方法において、乗りかごの走行中、乗りかごがある階に戸開停止中および／またはエレベータの管制運転中に、乗りかご下部の前記ビデオカメラによる昇降路内底部の映像を乗りかご内の前記ビデオモニタに表示することを特徴とするエレベータの表示方法。
【請求項９】
昇降路の底部に設置された冠水検知器と、前記冠水検知器が作動したときエレベータを管制運転させる管制運転装置と、乗りかごの上部および下部に搭載され昇降路内の上および下方向に向けたビデオカメラと、乗りかご内に配置されたビデオモニタとを備えたエレベータの表示方法において、エレベータの平常運転中に、運転方向に応じて乗りかご上部または下部の前記ビデオカメラによる昇降路内上方または底部の映像を乗りかご内の前記ビデオモニタに表示するステップと、乗りかごがある階に戸開停止中および／またはエレベータの管制運転中に、乗りかご下部の前記ビデオカメラによる昇降路内底部の映像を乗りかご内の前記ビデオモニタに表示するステップとを備えたことを特徴とするエレベータの表示方法。
【発明の詳細な説明】
【技術分野】
【０００１】
本発明は、乗りかご内にビデオモニタを備えたエレベータの表示装置および方法の改良に関するものである。
【背景技術】
【０００２】
特許文献１には、乗りかごの上下に設置されたカメラと、乗りかご内にテレビジョン受像機を設け、乗りかごの上昇中に上方向昇降路内映像、下降中に下方向昇降路内映像を乗りかご内に表示することが開示されている。具体的には、通常はテナント，催物案内等を案内し、地震発生後の保守員による安全確認運転時に、昇降路内の様子を確認可能とし、地震発生後に限らず、運転方向の昇降路内映像を表示することが開示されている。これにより、地震発生後の保守時には、保守員の負担を軽減し、平常運転時には、乗客へのサービス性を向上できる。
【０００３】
また、特許文献２には、乗りかご内に豊富な映像情報を表示させ乗客を退屈させないエレベータ用映像情報システムが開示されている。
【０００４】
【特許文献１】特開昭６０−２２８３６８号公報
【特許文献２】特開平７−８１８５号公報
【発明の開示】
【発明が解決しようとする課題】
【０００５】
しかしながら、特許文献１では、異常事態の早期発見の観点で見たとき、折角の装置を利用し切れていないうらみがある。すなわち、乗りかごの戸開停止中や管制運転中には、乗りかご下にテレビカメラを備えながら、大雨時の昇降路内底部への冠水の様子の確認や、万が一の昇降路内底部への落下者の発見が遅れる場合がある。
【０００６】
本発明の目的は、既設の装置を用いて、大雨時の昇降路内底部への冠水の状況確認や、万が一の昇降路内底部への落下者の発見など、昇降路内底部の異常を確認出来るエレベータの表示装置または表示方法を提供することである。
【課題を解決するための手段】
【０００７】
本発明の望ましい実施態様においては、昇降路の底部に設置された冠水検知器と、前記冠水検知器が作動したときエレベータを管制運転させる管制運転装置と、乗りかごの下部に搭載され昇降路内の下方向に向けたビデオカメラと、乗りかご内に配置されたビデオモニタとを備えたエレベータの表示装置において、乗りかごがある階に戸開停止中および／またはエレベータの管制運転中に、乗りかご下部の前記ビデオカメラによる昇降路内底部の映像を乗りかご内の前記ビデオモニタに表示する表示制御装置を備えたことを特徴とする。
【０００８】
また、本発明の他の望ましい実施態様においては、乗りかごの上部および下部に搭載され昇降路内の上および下方向に向けたビデオカメラと、乗りかご内に配置されたビデオモニタとを備えたエレベータの表示装置において、エレベータの平常運転中に、運転方向に応じて乗りかご上または下部の前記ビデオカメラによる昇降路内上方または底部の映像を乗りかご内の前記ビデオモニタに表示するとともに、乗りかごがある階に戸開停止中および／またはエレベータの管制運転中に、乗りかご下部の前記ビデオカメラによる昇降路内底部の映像を乗りかご内の前記ビデオモニタに表示する表示制御装置を備えたことを特徴とする。
【発明の効果】
【０００９】
本発明の望ましい実施態様によれば、大雨時の昇降路底部での冠水の状況確認や、万が一の昇降路内の底部への落下者の早期発見など、昇降路底部での異常の早期確認が可能なエレベータの表示装置を提供できる。
【００１０】
本発明のその他の目的と特徴は、以下に述べる実施例の説明で明らかにする。
【発明を実施するための最良の形態】
【００１１】
以下、本発明の実施例について図面に基づいて説明する。
【００１２】
図１は、本発明の一実施例によるエレベータの表示装置におけるエレベータ乗りかごの概略構造図である。本実施例のエレベータは、乗りかご１の上下部に、昇降路内を撮影する照明ランプ付きビデオカメラ２，３を取付けている。また、乗りかご１内には、ビデオモニタ４が設置されている。昇降路の下端には、昇降路内部の冠水を検知する冠水検知器５が、緩衝器取付け台６に取付けられている。
【００１３】
一方、乗りかご１の外部、例えば、管理人室またはエレベータホールに、上下の映像切替え付きビデオモニタ７が設置されている。ビデオカメラ２，３およびその照明ランプと、両モニタ４，７は、ＣＰＵ８を含むマイクロコンピュータ９によって制御される。
【００１４】
まず、平常運転中には、マイクロコンピュータ９による運転モードの判定で、切替え信号により、乗りかご内のビデオモニタ４と外部のビデオモニタ７へ、自動で昇降路内上下の映像と音響を自動案内する。
【００１５】
次に、乗りかご１が待機階に停止中には、乗りかごの戸を開いたときのみ、乗りかご１の下部のビデオカメラ２による昇降路の下部（ピット）の映像を、乗りかご内および外部のモニタ４，７に表示する。
【００１６】
さらに、大雨などにより昇降路の下部（ピット）の冠水検知器５が作動したことなどによる管制運転中にも、乗りかご１の下部のビデオカメラ２による昇降路の下部（ピット）の映像を、乗りかご内および外部のモニタ４，７に表示する。
【００１７】
これにより、大雨時の昇降路底部での冠水の状況確認や、万が一の昇降路内の底部への落下者の早期発見など、昇降路底部での異常の早期確認が可能となる。
【００１８】
図２は、本発明の一実施例によるエレベータの表示装置におけるマイクロコンピュータ９に格納された中央演算処理装置８による処理フローである。この処理は、例えば、４０ｍｓｅｃに１回程度の頻度で繰り返し起動される。
【００１９】
まず、図２において、ステップ２０１において、乗りかご１が平常運転を開始し、ステップ２０２で下方向のサービスであることを検出すれば、ステップ２０３において、ビデオカメラ２の照明ランプを点灯し、撮像を開始する。このビデオカメラ２による昇降路内下方向の映像と、昇降路内で集音した音響とを、ビデオモニタ４，７で表示案内する。乗りかご１がサービス階へ停止後に、ビデオカメラ２の照明ランプを消灯し、ビデオモニタ４，７の映像を停止する。
【００２０】
なお、走行中には、ビデオカメラ２の照明ランプを点滅させることによって、乗りかご内の乗客に、ビデオモニタ４の映像を走行感を出しながら見せることもできる。
【００２１】
一方、乗りかご１が運転を開始し、平常運転の上方向のサービスであれば、ステップ２０２の判断がＮＯとなり、ステップ２０４に進んで、乗りかご１の上部のビデオカメラ３の照明ランプを点灯し、ビデオカメラ３による昇降路内上方向の映像と音響を、ビデオモニタ４，７で表示案内する。乗りかご１がサービス階へ停止後に、ビデオカメラ３の照明ランプを消灯し、ビデオモニタ４，７の映像を停止する。
【００２２】
次に、乗りかご１が平常運転でない場合には、ステップ２０１の判定がＮＯとなり、ステップ２０７に進み、まず、待機階に停止中か否かを判断する。待機階に停止中であればステップ２０８に進んでホール呼びの発生による戸開を待つ。戸開すれば、ステップ２１０にてかご下のビデオカメラ２の照明ランプを点灯し、ステップ２１１にてビデオカメラ２による昇降路内下方向の映像と、昇降路内で集音した音響とを、ビデオモニタ４，７に表示する。管制運転が終了すると、ステップ２１２にて、ビデオカメラ２による撮像を停止し、ビデオモニタ４，７による映像表示を停止する。
【００２３】
以上の実施例によれば、大雨時の昇降路底部での冠水の状況確認や、万が一の昇降路内の底部への落下者の早期発見など、昇降路底部での異常の早期確認が可能となる。特に、平常運転時に、運転方向に合わせて昇降路上下方向の映像を乗りかご内に表示するエレベータにおいては、既存の装置を利用して、さらに、昇降路下端付近での異常の早期発見や早期確認の機会を増やすことができる。
【００２４】
なお、本実施例では、照明ランプ付きビデオカメラ２、３にて説明したが、ビデオカメラ２、３と照明ランプをそれぞれ設けたものであっても良い。また、乗りかご１内のモニタ４の昇降路内上下方向映像を切替えるスイッチを、乗りかご１内に設ければ、保守員による点検時に便利である。
【図面の簡単な説明】
【００２５】
【図１】本発明の一実施例によるエレベータの表示装置におけるエレベータ乗りかごの概略構造図である。
【図２】本発明の一実施例によるエレベータの表示装置におけるマイクロコンピュータ９に格納された中央演算処理装置８による処理フローである。
【符号の説明】
【００２６】
１…乗りかご、２，３…照明ランプ付ビデオカメラ、４…かご内のビデオモニタ、５…緩衝器取付台、６…冠水検知器、７…外部（乗り場，管理人室）のビデオモニタ、８…中央演算処理装置、９…マイクロコンピュータ。
【図１】
2008290842.tif 000003
【図２】
2008290842.tif 000004